(57)【要約】【課題】ケース本体に配設されたスライド部の剛性を十分に向上させ得る情報記録媒体を提供する。【解決手段】磁気テープが巻回されたテープリールを回転可能に収容すると共に磁気テープを引き出すためのテープ引き出し口が底板の前面側に形成されたケース本体と、ケース本体における底板の外側にスライド可能に配設されると共に、底板の外面に当接する帯状の凸部６３，６３がスライド方向に沿って本体部６１の内面に形成されかつ内面のスライド方向における一方の縁部に立設された一対の突起部６４，６４が押圧されてスライドさせられることによってテープ引き出し口を開閉するスライド部６とを備え、スライド部６は、スライド方向に対して直交する方向に沿って内面に形成されてケース本体における底板の外面に当接するリブ６７を備えている。【選択図】図６
2006338728.tif 000002
【特許請求の範囲】
【請求項１】
磁気テープが巻回されたテープリールを回転可能に収容すると共に当該磁気テープを引き出すためのテープ引き出し口が底板の前面側に形成されたケース本体と、前記底板の外側にスライド可能に配設されると共に、当該底板の外面に当接する帯状の凸部がスライド方向に沿ってその内面に形成されかつ当該内面の当該スライド方向における一方の縁部に立設された一対の突起部が押圧されてスライドさせられることによって前記テープ引き出し口を開閉するスライド部とを備え、
前記スライド部は、前記スライド方向に対して直交する方向に沿って前記内面に形成されて前記底板の前記外面に当接する第１リブを備えている情報記録媒体。
【請求項２】
前記第１リブは、前記スライド部の前記内面の前記スライド方向における他方の縁部に形成され、
前記スライド部は、前記内面に形成された前記テープリール用の駆動軸挿通孔における口縁部に形成されて前記底板の前記外面に当接する第２リブを備えている請求項１記載の情報記録媒体。
【請求項３】
前記第１リブは、前記スライド部の前記内面に形成された前記テープリール用の駆動軸挿通孔と当該内面における前記一方の縁部との中間部位に形成されている請求項１記載の情報記録媒体。
【請求項４】
磁気テープが巻回されたテープリールを回転可能に収容すると共に当該磁気テープを引き出すためのテープ引き出し口が底板の前面側に形成されたケース本体と、前記底板の外側にスライド可能に配設されると共に、当該底板の外面に当接する帯状の凸部がスライド方向に沿ってその内面に形成されかつ当該内面の当該スライド方向における一方の縁部に立設された一対の突起部が押圧されてスライドさせられることによって前記テープ引き出し口を開閉するスライド部とを備え、
前記スライド部は、前記一対の突起部を繋ぐようにして前記内面における前記一方の縁部に立設された壁部を備えている情報記録媒体。
【発明の詳細な説明】
【技術分野】
【０００１】
本発明は、テープリールを収容するケース本体と、ケース本体に形成されたテープ引き出し口を開閉するスライド部とを備えた情報記録媒体に関するものである。
【背景技術】
【０００２】
この種の情報記録媒体として、特開平９−１７１５１号公報に開示されたテープカートリッジが知られている。このテープカートリッジは、上ハーフおよび下ハーフで構成されたカートリッジ本体と、カートリッジ本体の内部に回転自在に収納されたテープリールと、記録再生装置側のテープローディング手段が進入するローディング空間部を開閉するスライダと、上ハーフおよび下ハーフの前面部を閉塞するリッドとを備えて構成されている。この場合、スライダは、矩形板状の主面部と、主面部の両側に立設された一対のガイド壁とを備えて構成されて、下ハーフにスライド移動自在に支持されている。このテープカートリッジでは、記録再生装置から取り出されている状態において、スライダが、下ハーフのリール軸進入用開口およびローディング空間部を閉塞している。一方、テープカートリッジが記録再生装置に装填された状態では、スライダが背面側に移動（スライド）させられることにより、リール軸進入用開口およびローディング空間部が開放される。
【特許文献１】特開平９−１７１５１号公報（第５−７頁、第１−７図）
【発明の開示】
【発明が解決しようとする課題】
【０００３】
ところが、上記のテープカートリッジには、以下の問題点がある。すなわち、この種のテープカートリッジにおけるスライダには、一般的に、下ハーフの裏面との摺動抵抗を軽減するための帯状の凸部が、スライド方向に沿ってその内面に形成されている。この場合、このスライダでは、この凸部の上面が下ハーフの裏面に当接する。このため、このテープカートリッジには、スライダの内面における凸部が形成されていない部分と、下ハーフの裏面との間に凸部の高さに相当する隙間があり、その隙間からカートリッジ本体の内部に埃が侵入するおそれがあるという問題点が存在する。一方、上記のテープカートリッジでは、スライダが板状の主面部と主面部の両側に立設された一対のガイド壁とで構成されている。つまり、このスライダは、主面部の前方側および背面側に壁等を備えていない形状に構成されている。したがって、このテープカートリッジには、スライダの剛性が低く変形し易いため、例えば、スライドさせられる際に大きな力が加えられたときには、変形によってスライダが下ハーフから外れたり、スライダのスライドが困難となったりするおそれがあるという問題点も存在する。
【０００４】
本発明は、かかる問題点に鑑みてなされたものであり、ケース本体内部への埃の侵入を低減し得る情報記録媒体を提供することを主目的とする。また、ケース本体に配設されたスライド部の剛性を十分に向上させ得る情報記録媒体を提供することを他の主目的とする。
【課題を解決するための手段】
【０００５】
上記目的を達成すべく本発明に係る情報記録媒体は、磁気テープが巻回されたテープリールを回転可能に収容すると共に当該磁気テープを引き出すためのテープ引き出し口が底板の前面側に形成されたケース本体と、前記底板の外側にスライド可能に配設されると共に、当該底板の外面に当接する帯状の凸部がスライド方向に沿ってその内面に形成されかつ当該内面の当該スライド方向における一方の縁部に立設された一対の突起部が押圧されてスライドさせられることによって前記テープ引き出し口を開閉するスライド部とを備え、前記スライド部は、前記スライド方向に対して直交する方向に沿って前記内面に形成されて前記底板の前記外面に当接する第１リブを備えている。
【０００６】
この場合、前記スライド部の前記内面の前記スライド方向における他方の縁部に前記第１リブを形成し、前記スライド部における前記テープリール用の駆動軸挿通孔の口縁部に前記底板の前記外面に当接する第２リブを形成することができる。
【０００７】
また、前記スライド部の前記内面に形成された前記テープリール用の駆動軸挿通孔と当該内面における前記一方の縁部との中間部位に前記第１リブを形成することができる。
【０００８】
また、本発明に係る情報記録媒体は、磁気テープが巻回されたテープリールを回転可能に収容すると共に当該磁気テープを引き出すためのテープ引き出し口が底板の前面側に形成されたケース本体と、前記底板の外側にスライド可能に配設されると共に、当該底板の外面に当接する帯状の凸部がスライド方向に沿ってその内面に形成されかつ当該内面の当該スライド方向における一方の縁部に立設された一対の突起部が押圧されてスライドさせられることによって前記テープ引き出し口を開閉するスライド部とを備え、前記スライド部は、前記一対の突起部を繋ぐようにして前記内面における前記一方の縁部に立設された壁部を備えている。
【発明の効果】
【０００９】
本発明に係る情報記録媒体によれば、スライド部のスライド方向に対して直交する方向に沿ってスライド部の内面に形成されてケース本体における底板の外面に当接する第１リブを備えたことにより、ケース本体の底板とスライド部との間の隙間を通ってテープ引き出し口に連通する経路を第１リブによって遮蔽することができる。したがって、この経路からの埃の侵入を確実に防止することができる結果、ケース本体の内部への埃の侵入を十分に低減することができる。また、スライド部の剛性を第１リブによって十分に高めることができるため、例えば、スライドさせられる際に大きな力が加えられたとしても、スライド部の変形を十分小さく抑えることができる。したがって、変形によってスライド部がケース本体から外れたり、スライド部のスライドが困難となったりする事態を確実に防止することができる。
【００１０】
また、本発明に係る情報記録媒体によれば、スライド部の内面における他方の縁部に第１リブを形成し、スライド部におけるテープリール用の駆動軸挿通孔の口縁部に第２リブを形成したことにより、ケース本体の底板とスライド部との間の隙間を通ってテープ引き出し口に連通する経路を第１リブによって遮蔽することができる。また、スライド部の駆動軸挿通孔を通ってテープ引き出し口に連通する経路を第２リブによって遮蔽することができる。したがって、これらの経路からの埃の侵入を確実に防止することができる結果、ケース本体の内部への埃の侵入を一層低減することができる。
【００１１】
また、本発明に係る情報記録媒体によれば、スライド部の駆動軸挿通孔と内面における一方の縁部との中間部位に第１リブを形成したことにより、ケース本体の底板とスライド部との間の隙間を通ってテープ引き出し口に連通する経路、およびスライド部の駆動軸挿通孔を通ってテープ引き出し口に連通する経路を１つの第１リブによって遮蔽することができる。したがって、１つの第１リブを備えた簡易な構成でありながら、これらの経路からの埃の侵入を確実に防止することができる。
【００１２】
また、本発明に係る情報記録媒体によれば、スライド時に押圧される一対の突起部を繋ぐようにしてスライド部の内面における一方の縁部に壁部を立設したことにより、ケース本体の前面側の隙間を通ってテープ引き出し口に連通する経路を壁部によって遮蔽することができる。したがって、この経路からの埃の侵入を確実に防止することができる結果、ケース本体の内部への埃の侵入を十分に低減することができる。また、スライド部の剛性を壁部によって十分に高めることができるため、例えば、スライドさせられる際に大きな力が加えられたとしても、スライド部の変形を十分小さく抑えることができる。したがって、変形によってスライド部がケース本体から外れたり、スライド部のスライドが困難となったりする事態を確実に防止することができる。
【発明を実施するための最良の形態】
【００１３】
以下、本発明に係る情報記録媒体の最良の形態について、添付図面を参照して説明する。
【００１４】
最初に、情報記録媒体１の構成について、図面を参照して説明する。
【００１５】
図１に示す情報記録媒体１は、例えば、電子計算機に記録されたデータをバックアップするためのストレージデバイスとして用いられる２リールタイプのカートリッジ式の情報記録媒体であって、同図に示すように、磁気テープＴが巻回されたテープリール２，２、ケース本体３、リールブレーキ４、シート５，５、スライド部６およびフロントカバー７を備えて構成されている。
【００１６】
テープリール２は、図１，２に示すように、磁気テープＴを巻回可能に構成されて、ケース本体３の内部に収容されている。この場合、図２に示すように、テープリール２の一端部（図１における上端部）には、リールブレーキ４の突起部４１ａが係合することによって回転が禁止される歯部２ａが形成されている。
【００１７】
ケース本体３は、図１に示すように、互いに嵌合可能な下ケース１１および上ケース１２を備えて構成されて、両ケース１１，１２の嵌合状態において形成される内部空間にテープリール２，２を回転可能に収容する。下ケース１１は、図３に示すように、底板２１および側壁２２ａ〜２２ｆを備えて、全体として、浅皿状に形成されている。底板２１は、情報記録媒体１をドライブ装置に挿入する際の前面側（同図における下側）の中央部に切り欠き部２１ａ（本発明におけるテープ引き出し口）が形成されて構成されている。また、底板２１には、ドライブ装置の駆動軸を挿通させるための円形の挿通孔２１ｂ，２１ｂが形成されている。また、底板２１の切り欠き部２１ａ側には、スライド部６をスライド不可状態にロックするためのアーム状のロック部２１ｃ，２１ｃが形成されている。この場合、ロック部２１ｃは、図１に示すロックスプリング８ａによってその先端部がスライド部６側に向けて押圧される。側壁２２ａ〜２２ｆは、底板２１の縁部にそれぞれ立設されている。この場合、側壁２２ｄ，２２ｅには、図１０に示すように、ドライブ装置の検出部から射出される磁気テープＴのテープエンド検出用の検出光をケース本体３の内部に入射させる矩形の窓部２３がそれぞれ形成されている。
【００１８】
上ケース１２は、図４に示すように、天板３１、側壁３２ａ〜３２ｅを備えて、ドライブ装置に挿入する際の前面側に開口部１２ａを有する浅皿状に形成されている。天板３１は、全体として矩形に形成されている。また、天板３１の中央部には、ケース本体３に収容されたテープリール２（磁気テープＴ）を外部から視認させるための矩形の天窓３１ａが形成され、この天窓３１ａには、透明な（またはほぼ透明な）カバー３３が取り付けられている。側壁３２ａ〜３２ｅは、天板３１の縁部にそれぞれ立設されている。この場合、側壁３２ｄ，３２ｅには、図１０に示すように、下ケース１１の窓部２３から入射して図外のプリズムによって光路をＵ字状に変更させられた検出光をケース本体３の外部に出射させる矩形の窓部３４がそれぞれ形成されている。
【００１９】
リールブレーキ４は、図５に示すように、本体部４１および腕部４２，４２を備えて構成されている。本体部４１は、テープリール２，２に対して接離する方向に沿ってスライド可能にケース本体３の内部に配設されると共に、図１に示すブレーキスプリング８ｂによってテープリール２，２に近接する方向に付勢されている。また、本体部４１には、２つの突起部４１ａ，４１ａが形成されている。この場合、本体部４１は、テープリール２，２に近接したときに、突起部４１ａ，４１ａがテープリール２，２の歯部２ａにそれぞれ係合することにより、テープリール２，２の回転を規制する。また、本体部４１は、テープリール２，２から離間したときにテープリール２，２の歯部２ａに対する突起部４１ａ，４１ａの係合が解除されることにより、テープリール２，２の回転規制を解除する。腕部４２，４２は、図５に示すように、本体部４１の両端部にそれぞれ突出形成されている。この場合、腕部４２，４２は、図９，１０に示すように、フロントカバー７の回動に伴い、その先端部がフロントカバー７の支持部７２に係合して移動させられることにより、テープリール２，２に対して接離する方向に沿って本体部４１をスライドさせる。
【００２０】
シート５，５は、例えば、樹脂材料によって成形されたシートであって、図１に示すように、下ケース１１とテープリール２との間、およびテープリール２と上ケース１２との間にそれぞれ配設されている。このシート５は、テープリール２を円滑に回転動作させると共に、磁気テープＴの幅方向への移動を防止することによって磁気テープＴをテープリール２に整然と巻き取らせる機能を有している。
【００２１】
スライド部６は、図６に示すように、本体部６１、側壁６２，６２、凸部６３，６３、突起部６４，６４、壁部６５、係合部６６およびリブ６７，６８，６８を備えて構成されて、下ケース１１における底板２１の外側にスライド可能に配設されている。本体部６１は、矩形の板状に形成されると共に、ドライブ装置の駆動軸を挿通させるための円形の挿通孔６１ａ，６１ａ（本発明における駆動軸挿通孔）が形成されて構成されている。側壁６２，６２は、本体部６１の両端部にそれぞれ立設されている。凸部６３は、スライド部６のスライド方向（同図に示す矢印Ａの方向）に沿って本体部６１の内面（同図における上面）に帯状に形成されている。この場合、凸部６３は、スライド部６が下ケース１１に配設された状態において、下ケース１１における底板２１の外面２１ｄ（図９参照）にその上面が当接して、底板２１に対してスライド部６をスムーズにスライドさせる機能を有している。また、凸部６３，６３には、下ケース１１におけるロック部２１ｃの先端部に係合する係合孔６３ａ，６３ｂがそれぞれ形成されている。
【００２２】
突起部６４，６４は、配設状態において下ケース１１の切り欠き部２１ａ側に位置する本体部６１の前面側縁部６１ｂ（本発明における一方の縁部）に立設されている。壁部６５は、突起部６４，６４を繋ぐようにして本体部６１の内面における前面側縁部６１ｂに立設されている。この場合、突起部６４，６４を壁部６５で繋いだことにより、スライド部６の剛性が十分に高められている。このため、スライド部６がスライドさせられる際に大きな力が加えられたとしても、撓みや捻れなどのスライド部６の変形を十分小さく抑えることが可能となっている。係合部６６は、図１に示すスライドスプリング８ｃ（図１参照）の一端部が係合可能な形状に形成されて、本体部６１の前面側縁部６１ｂにおける幅方向の中央部に立設されている。リブ６７は、本発明における第１リブに相当し、スライド部６のスライド方向に対して直交する方向に沿って本体部６１の内面における背面側縁部６１ｃ（本発明における他方の縁部）に形成されている。また、リブ６７は、凸部６３と同じ高さに形成されて、スライド部６が下ケース１１に配設された状態において、下ケース１１における底板２１の外面２１ｄにその上面が当接する。リブ６８は、本発明における第２リブに相当し、本体部６１の内面における挿通孔６１ａの縁部に形成されている。この場合、リブ６８は、凸部６３およびリブ６７と同じ高さに形成されて、スライド部６が下ケース１１に配設された状態において、下ケース１１における底板２１の外面２１ｄにその上面が当接する。
【００２３】
また、スライド部６は、スライドスプリング８ｃ（図１参照）の一端部が係合部６６に係合することにより、スライドスプリング８ｃによって下ケース１１の切り欠き部２１ａ側に向けて付勢されている。また、スライド部６は、ドライブ装置に情報記録媒体１が装填されていない状態、つまり非使用状態において、図８に示すように、位置Ｐ１に位置して、下ケース１１の切り欠き部２１ａおよび挿通孔２１ｂ，２１ｂを閉塞する。また、スライド部６は、ドライブ装置に情報記録媒体１が挿入される際に、ドライブ装置の押圧部によって突起部６４，６４が押圧されることにより、ケース本体３（下ケース１１）に対して相対的にスライドさせられて図１０に示す位置Ｐ２に位置し、切り欠き部２１ａおよび挿通孔２１ｂ，２１ｂを開放する。
【００２４】
フロントカバー７は、図７に示すように、本体部７１、および本体部７１の両端部に形成された支持部７２，７２を備えて構成されている。この場合、本体部７１には、図１に示すように、ドライブ装置に情報記録媒体１が挿入される際にドライブ装置の押圧部を挿入をさせるための切り欠き７１ａ，７１ａが形成されている。また、フロントカバー７は、図９，１０に示すように、上ケース１２の側壁３２ｄ，３２ｅに支持部７２，７２が回動可能に取り付けられて、ドライブ装置によって回動させられることにより、本体部７１が上ケース１２の開口部１２ａを開閉する。また、フロントカバー７は、回動させられる際に、支持部７２に形成されている突起部（図示せず）がリールブレーキ４の腕部４２の先端部における突起部（図示せず）に係合して腕部４２を移動させることにより、リールブレーキ４の本体部４１をテープリール２，２に対して接離する方向に沿ってスライドさせる。
【００２５】
次に、情報記録媒体１を用いたデータの記録再生方法について、図面を参照して説明する。
【００２６】
この情報記録媒体１が図外のドライブ装置から取り出されている状態、つまり非使用時においては、図２，９に示すように、リールブレーキ４の本体部４１が、ブレーキスプリング８ｂ（図１参照）の付勢力によってテープリール２，２に近接している。このため、本体部４１の突起部４１ａ，４１ａがテープリール２，２の歯部２ａにそれぞれ係合して、テープリール２，２の回転が規制されている。また、図８，９に示すように、スライド部６が、下ケース１１における底板２１の切り欠き部２１ａ側の位置Ｐ１に位置して、底板２１の切り欠き部２１ａおよび挿通孔２１ｂ，２１ｂを閉塞している。この場合、スライド部６は、図８に示すように、下ケース１１におけるロック部２１ｃ，２１ｃの先端部が本体部６１の係合孔６３ａ，６３ａにそれぞれ係合することにより、スライド不可状態にロックされている。また、この状態では、図９に示すように、フロントカバー７が、ケース本体３における上ケース１２の開口部１２ａを閉塞している。
【００２７】
さらに、この状態では、図８に示すように、スライド部６におけるリブ６７の上面が、底板２１の外面２１ｄにおける側壁２２ａ側の部位に当接すると共に、スライド部６におけるリブ６８の上面が、底板２１の外面２１ｄにおける挿通孔２１ｂよりも切り欠き部２１ａ側の部位に当接している。このため、下ケース１１とスライド部６との間の隙間やスライド部６の挿通孔６１ａ，６１ａから下ケース１１の切り欠き部２１ａを通ってケース本体３の内部に埃が侵入する事態が確実に防止されている。また、スライド部６における本体部６１の前面側縁部６１ｂに突起部６４，６４を繋ぐようにして壁部６５が立設されているため、フロントカバー７における本体部７１の切り欠き７１ａから切り欠き部２１ａを通ってケース本体３の内部に埃が侵入する事態が確実に防止されている。
【００２８】
一方、情報記録媒体１がドライブ装置の挿入口から装填部に向けて挿入されたときには、装填部が情報記録媒体１を内部に引き込む。この場合、挿入口の近傍に取り付けられた当接部（図示せず）に下ケース１１におけるロック部２１ｃ，２１ｃの先端部が当接すると共に、挿入口の近傍に取り付けられてフロントカバー７の切り欠き７１ａ，７１ａを通して挿入された押圧部（図示せず）にスライド部６の突起部６４，６４が当接した状態で情報記録媒体１が引き込まれる。この際に、ロック部２１ｃ，２１ｃの先端部が上方向（上ケース１２の天板３１へ向かう方向）に押し上げられて、スライド部６の係合孔６３ａ，６３ａとロック部２１ｃ，２１ｃの先端部との係合が解除されて、スライド部６のスライド不可状態が解除されると共に、押圧部によって突起部６４，６４が押圧される。このため、図１０に示すように、スライド部６が、スライドスプリング８ｃ（図１参照）による付勢力に抗して下ケース１１の側壁２２ａ側にスライドさせられて、位置Ｐ２に位置する。この場合、スライド部６の本体部６１に壁部６５およびリブ６７が形成されているため、スライド部６が十分な剛性を有している。したがって、スライドさせられる際に大きな力が加えられたとしても、スライド部６の変形が十分小さく抑えられる結果、変形によってスライド部６が下ケース１１から外れたり、スライド部６のスライドが困難となったりする事態が確実に防止される。
【００２９】
また、スライド部６が位置Ｐ２に位置した状態では、スライド部６の挿通孔６１ａと下ケース１１の挿通孔２１ｂとが連通すると共に、下ケース１１における底板２１の切り欠き部２１ａが開放される。また、下ケース１１におけるロック部２１ｃ，２１ｃの先端部がスライド部６における本体部６１の係合孔６３ｂ，６３ｂにそれぞれ係合することにより、スライド部６が、スライド不可状態にロックされている。次いで、装填部が、ドライブ装置内の駆動軸の先端部に向けて情報記録媒体１を移動させる。この際に、駆動軸が挿通孔６１ａ，６１ａおよび挿通孔２１ｂ，２１ｂを通ってテープリール２の中心部に挿入される。
【００３０】
続いて、ドライブ装置が、図１０に示すように、フロントカバー７を回動させることにより、上ケース１２の開口部１２ａが開放される。この際に、フロントカバー７における支持部７２の突起部（図示せず）が、リールブレーキ４の腕部４２，４２における先端部の突起部（図示せず）に係合して、腕部４２，４２を開口部１２ａ側に移動させる。これに伴い、リールブレーキ４の本体部４１が、ブレーキスプリング８ｂ（図１参照）による付勢力に抗してテープリール２，２から離間する方向に沿ってスライドさせられる。このため、テープリール２，２の歯部２ａと本体部４１の突起部４１ａ，４１ａとの係合が解除されて、テープリール２，２の回転の規制が解除される。
【００３１】
次いで、ドライブ装置が磁気テープＴを磁気ヘッドに当接させると共に、テープリール２，２を回転させて、データの読み出しや書き込みを開始する。また、ドライブ装置に配設されているテープエンド検出部が、検出光を射出する。この場合、検出光は、ケース本体３における下ケース１１の窓部２３から入射して、磁気テープＴに照射される。続いて、磁気テープＴが一方のテープリール２に巻き取られて、他方のテープリール２に巻回されていた磁気テープＴがテープエンドとなったときには、検出光が、磁気テープＴの端部に取り付けられているリーダーテープを透過して、図外のプリズムによって光路がＵ字状に変更させられて、ケース本体３における上ケース１２の窓部３４を介してケース本体３の外部に出射する。この際に、テープエンド検出部が検出光を受光し、これに応じて、ドライブ装置がデータの読み出しや書き込みを終了すると共に、テープリール２，２の回転を停止させる。次いで、ドライブ装置は、磁気テープＴから磁気ヘッドを離間させる。
【００３２】
続いて、装填部が、駆動軸の先端部から情報記録媒体１を離間させる。次いで、ドライブ装置が、上記した方向とは逆方向にフロントカバー７を回動させることにより、図９に示すように、上ケース１２の開口部１２ａが閉塞される。この際に、フロントカバー７における支持部７２が、リールブレーキ４の腕部４２，４２をテープリール２，２側に移動させる。これに伴い、リールブレーキ４の本体部４１が、テープリール２，２に近接する方向に沿って移動させられる。このため、テープリール２，２の歯部２ａに本体部４１の突起部４１ａ，４１ａが係合して、テープリール２，２の回転が規制される。次いで、装填部が、挿入口の外側に向けて情報記録媒体１を押し出す。この場合、下ケース１１におけるロック部２１ｃ，２１ｃの先端部が挿入口の近傍に取り付けられた当接部（図示せず）に当接した状態で情報記録媒体１が押し出される。この際に、ロック部２１ｃ，２１ｃの先端部が上方向に押し上げられて、スライド部６の係合孔６３ｂ，６３ｂとロック部２１ｃ，２１ｃの先端部との係合が解除され、スライド部６のスライド不可状態が解除される。このため、図８，９に示すように、スライド部６が、スライドスプリング８ｃ（図１参照）の付勢力によって下ケース１１における底板２１の切り欠き部２１ａ側にスライドさせられて、位置Ｐ１に位置する。この状態では、底板２１の挿通孔２１ｂ，２１ｂおよび切り欠き部２１ａがスライド部６によって閉塞される。また、ロック部２１ｃ，２１ｃの先端部がスライド部６の係合孔６３ａ，６３ａにそれぞれ係合することにより、スライド部６がスライド不可状態にロックされる。さらに、この状態では、スライド部６におけるリブ６７，６８の上面が、底板２１の外面２１ｄに当接して、下ケース１１とスライド部６との間の隙間やスライド部６の挿通孔６１ａ，６１ａから下ケース１１の切り欠き部２１ａを通ってケース本体３の内部に埃が侵入する事態が確実に防止されている。また、スライド部６の壁部６５によってフロントカバー７の切り欠き７１ａから切り欠き部２１ａを通ってケース本体３の内部に埃が侵入する事態が確実に防止されている。これにより、情報記録媒体１がドライブ装置の挿入口から取り出し可能な状態となる。
【００３３】
このように、この情報記録媒体１によれば、下ケース１１における底板２１の外面２１ｄに当接するリブ６７をスライド部６のスライド方向に対して直交する方向に沿って本体部６１の内面に形成したことにより、下ケース１１の底板２１とスライド部６との間の隙間を通って切り欠き部２１ａに連通する経路をリブ６７によって遮蔽することができる。したがって、この経路からの埃の侵入を確実に防止することができる結果、ケース本体３の内部への埃の侵入を十分に低減することができる。また、スライド部６の剛性をリブ６７によって十分に高めることができるため、例えば、スライドさせられる際に大きな力が加えられたとしても、スライド部６の変形を十分小さく抑えることができる。したがって、変形によってスライド部６が下ケース１１から外れたり、スライド部６のスライドが困難となったりする事態を確実に防止することができる。
【００３４】
また、この情報記録媒体１によれば、リブ６７をスライド部６の本体部６１における背面側縁部６１ｃに形成し、本体部６１の挿通孔６１ａにおける口縁部に環状のリブ６８を形成したことにより、下ケース１１の底板２１とスライド部６との間の隙間を通って切り欠き部２１ａに連通する経路をリブ６７によって遮蔽することができる。また、スライド部６の挿通孔６１ａを通って切り欠き部２１ａに連通する経路をリブ６８によって遮蔽することができる。したがって、これらの経路からの埃の侵入を確実に防止することができる結果、ケース本体３の内部への埃の侵入を一層低減することができる。
【００３５】
また、この情報記録媒体１によれば、スライド時に押圧される突起部６４，６４を繋ぐようにして本体部６１の前面側縁部６１ｂに壁部６５を立設したことにより、フロントカバー７体における本体部７１の切り欠き７１ａを通って切り欠き部２１ａに連通する経路を壁部６５によって遮蔽することができる。したがって、この経路からの埃の侵入を確実に防止することができる結果、ケース本体３の内部への埃の侵入を十分に低減することができる。また、スライド部６の剛性を壁部６５によって十分に高めることができるため、例えば、スライドさせられる際に大きな力が加えられたとしても、スライド部６の変形を十分小さく抑えることができる。したがって、変形によってスライド部６が下ケース１１から外れたり、スライド部６のスライドが困難となったりする事態を確実に防止することができる。
【００３６】
なお、本発明は、上記の構成に限定されない。例えば、リブ６７，６８を備えたスライド部６を例に挙げて説明したが、図１１に示すように、両リブ６７，６８に代えて、リブ６９を備えたスライド部１０６を採用することもできる。リブ６９は、本発明における第１リブに相当し、本体部６１の挿通孔６１ａと前面側縁部６１ｂ（本発明における一方の縁部）との中間部位６１ｄにおいて、スライド部６のスライド方向に対して直交する方向に沿って本体部６１の内面に形成されている。この場合、リブ６９は、スライド部１０６が下ケース１１の切り欠き部２１ａ側に位置している状態において、切り欠き部２１ａよりも背面側縁部６１ｃ側に位置するようにその形成位置が規定されている。また、リブ６９は、凸部６３と同じ高さに形成されて、スライド部１０６が下ケース１１に配設された状態において、下ケース１１における底板２１の外面２１ｄにその上面が当接する。このスライド部１０６を備えた情報記録媒体によれば、下ケース１１の底板２１とスライド部６との間の隙間を通って切り欠き部２１ａに連通する経路、およびスライド部６の挿通孔６１ａを通って切り欠き部２１ａに連通する経路を１つのリブ６９によって遮蔽することができる。したがって、１つのリブ６９を備えた簡易な構成でありながら、これらの経路からの埃の侵入を確実に防止することができる。また、スライド部１０６の剛性をリブ６９によって十分に高めることができるため、情報記録媒体１と同様にして、例えば、スライドさせられる際に大きな力が加えられたとしても、変形によってスライド部１０６が下ケース１１から外れたり、スライド部１０６のスライドが困難となったりする事態を確実に防止することができる。
【００３７】
また、電子計算機に記録されたデータのバックアップに用いられる情報記録媒体１を例に挙げて説明したが、画像データの記録に用いられる情報記録媒体や、音声データの記録に用いられる情報記録媒体等の各種の情報記録媒体に本発明を適用することができる。また、２つのテープリール２を備えた情報記録媒体１を例に挙げて説明したが、単一のテープリールを備えた情報記録媒体に本発明を適用することもできる。
【図面の簡単な説明】
【００３８】
【図１】情報記録媒体１の分解斜視図である。
【図２】情報記録媒体１の平面図である。
【図３】下ケース１１の内面側から見た平面図である。
【図４】上ケース１２の内面側から見た平面図である。
【図５】リールブレーキ４の平面図である。
【図６】スライド部６の斜視図である。
【図７】フロントカバー７の平面図である。
【図８】スライド部６が位置Ｐ１に位置しているときの情報記録媒体１をスライド部６側から見た平面図である。
【図９】スライド部６が位置Ｐ１に位置しているときの情報記録媒体１の側面図である。
【図１０】スライド部６が位置Ｐ２に位置しているときの情報記録媒体１の側面図である。
【図１１】スライド部１０６の斜視図である。
【符号の説明】
【００３９】
１  情報記録媒体
２  テープリール
３  ケース本体
６，１０６  スライド部
２１  底板
２１ａ  切り欠き部
６１  本体部
６１ａ  挿通孔
６１ｂ，６１ｃ  縁部
６１ｄ  中間部位
６３  凸部
６４  突起部
６５  壁部
６７〜６９  リブ
Ｔ  磁気テープ
【図１】
2006338728.tif 000003
【図２】
2006338728.tif 000004
【図３】
2006338728.tif 000005
【図４】
2006338728.tif 000006
【図５】
2006338728.tif 000007
【図６】
2006338728.tif 000008
【図７】
2006338728.tif 000009
【図８】
2006338728.tif 000010
【図９】
2006338728.tif 000011
【図１０】
2006338728.tif 000012
【図１１】
2006338728.tif 000013